(57)【特許請求の範囲】
【請求項１】
落石を受け止めるための網と、地盤に直接又は間接に固定され、前記網を展開するように支持する索と、
前記網とともに索を連結支持し、地盤に直接又は間接に固定された複数の支柱と、
前記支柱の少なくとも１つに取り付けられ、前記網が落石を受けると前記網とともに変位して落石による衝撃エネルギを吸収し、前記網に伝播する衝撃力を緩和する緩衝部と、
を具備し、
前記緩衝部は、
前記索の少なくとも一方を摺動可能にその一部を包み込み保持するグリップと、
前記グリップの端部を前記支柱に動かないように固定するストッパと、
このストッパから前記グリップまでの間の前記索の少なくとも一方の端部近傍に弛みを持たせた弛み部と、
前記弛み部を前記支柱に緩やかに拘束するための半拘束部材と、
を具備することを特徴とする落石防止用網状構造物。
【請求項２】
前記緩衝部は、前記網を上方で吊下げ支持する左右一対の縦索に設けられていることを特徴とする請求項１記載の落石防止用網状構造物。
【発明の詳細な説明】
【０００１】
【発明の属する技術分野】
本発明は、山の斜面において落石を生じた場合に、落石が道路や建造物まで落下するのを防止するための落石防止用網状構造物に関する。
【０００２】
【従来の技術】
山間部の道路には落石の危険性があるので、落石から通行者を防護するために山側の斜面や崖下には落石防止用の構造物が設置される。例えば特開平７−４２１１７号公報には、落石を網で受け止めて道路まで石が落下するのを防止するようにした落石防止用網状構造物が開示されている。
【０００３】
【発明が解決しようとする課題】
しかしながら、従来の落石防止用網状構造物においては、過剰量の落石を受けた場合に、網が破れてしまったり支柱およびアンカー等の支持構造物が倒壊してしまい、落石が道路に到達して甚大な被害が出るおそれがある。特に巨大な落石があった場合は一瞬のうちに突破されるおそれがあり、山間部道路の安全通行を確実に保障できるものとはいえない。このため、巨大な落石を受けた場合であっても容易に突破されない落石防止構造物の実用化が要望されている。
【０００４】
本発明は上記の課題を解決するためになされたものであって、落石の衝撃を受けたときに網が突破されず、支柱およびアンカー等の支持構造部材の倒壊を有効に防止することができる落石防止用網状構造物を提供することを目的とする。
【０００５】
【課題を解決するための手段】
本発明に係る落石防止用網状構造物は、落石を受け止めるための網と、地盤に直接又は間接に固定され、前記網を展開するように支持する索と、前記網とともに索を連結支持し、地盤に直接又は間接に固定された複数の支柱と、前記支柱の少なくとも１つに取り付けられ、前記網が落石を受けると前記網とともに変位して落石による衝撃エネルギを吸収し、前記網に伝播する衝撃力を緩和する緩衝部と、を具備し、前記緩衝部は、前記索の少なくとも一方を摺動可能にその一部を包み込み保持するグリップと、前記グリップの端部を前記支柱に動かないように固定するストッパと、このストッパから前記グリップまでの間の前記索の少なくとも一方の端部近傍に弛みを持たせた弛み部と、前記弛み部を前記支柱に緩やかに拘束するための半拘束部材と、を具備することを特徴とする。
【０００７】
また、前記緩衝部は、前記網を上方で吊下げ支持する左右一対の縦索に設けられていることが好ましい。
【０００８】
【発明の実施の形態】
以下、添付の図面を参照しながら本発明の種々の好ましい実施の形態について説明する。
【０００９】
（第１の実施形態）
図１〜図７を参照しながら本発明の第１の実施形態について説明する。
【００１０】
第１の実施形態の落石防止用網状構造物３は、図１及び図２に示すように、道路２の山側の斜面１に設けられている。斜面１のほぼ同じ高さに一対の支柱５が斜面１に対してほぼ垂直に打ち込まれている。これら一対の支柱５は、ピンボルトおよびシャックルを備えたポケット型のＨ形鋼杭材からなり、等ピッチ間隔にタラップが設けられている。２本の支柱５は吊り横索６および吊り縦索７をそれぞれ支持し、さらにこれらの吊り横索６と吊り縦索７とにより網４がカーテンを吊るすように支持されている。
【００１１】
吊り横索６の両端はアンカー金物１０により斜面１に埋設固定されている。この吊り横索６には一方の支柱５から他方の支柱５までの間に多数の吊り具６ａが等ピッチ間隔に取り付けられている。これら多数の吊り具６ａの各々には網４の縦ワイヤ４ａがそれぞれ連結されている。
【００１２】
図２に示すように、網４は吊り横索６によりカーテンを吊り下げるように一方の支柱５から他方の支柱５までの間に懸架されており、網４の下端は道路２の近傍まで達している。なお、吊り横索６の両端近傍の適所にはターンバックル１１がそれぞれ取り付けられ、吊り横索６の緊張度が調節できるようになっている。
【００１３】
左右一対の吊り縦索７の上端はアンカー金物１０により斜面１に埋設固定されている。これら一対の吊り縦索７は網４の左右上端を支持している。吊り縦索７の端部には落石の衝撃エネルギを緩和吸収するための緩衝部２０が設けられている。なお、各吊り縦索７の上端近傍の適所にはターンバックル１１がそれぞれ取り付けられ、吊り縦索７の緊張度が調節できるようになっている。
【００１４】
網４に横方向の張りをもたせるために、複数対の横索８が網４の左右両側辺にそれぞれ適当な間隔をもって取り付けられている。各横索８の端部はアンカーボルト９により斜面１にそれぞれ埋設固定されている。
【００１５】
本実施形態の単スパン型カーテンネットにおいて、一方の支柱５から他方の支柱５までの間隔は約３０ｍ、網４の上端から下端までの長さは約２０ｍである。網４の目合は５０ｍｍ×５０ｍｍである。
【００１６】
次に、図３〜図５を参照しながら緩衝部２０について説明する。
【００１７】
図３に示すように、緩衝部２０は吊り縦索の端部７ａに設けられ、端部７ａに余裕をもたせて吊り縦索７を支柱５に緩く拘束するものである。緩衝部２０は、Ｈ形鋼杭材からなる支柱５のウェブ５ａに締結されたナット２４付き支持金具２１（ロット）と、縦索端部７ａの適所に巻き付けられ支持金具２１に連結されたグリップ２６と、縦索端部７ａに一体鋳造されて支柱ウェブ５ａに取り付けられた座金２５付きストッパ２７と、縦索端部７ａの適所を支柱ウェブ５ａに弱拘束する針金２８と、を備えている。グリップ２６から針金２８に至るまでの縦索端部７ａの長さは約０.５〜５ｍとすることが好ましく、１〜３ｍとすることがより好ましい。なお、ストッパ２７は縦索端部７ａの末端部分に亜鉛系合金を鋳造して一体化してなるものである。
【００１８】
図４および図５に示すように、支持金具２１の先端にはピン２３により支持された丸シンブル２２が設けられ、この丸シンブル２２に巻き付けグリップ２６のアイスプライ部分が巻き掛けられている。グリップ２６は、多数の細径ワイヤを束ねてなる帯状体からなり、縦索端部７ａに容易に巻き付けできるようにある程度の可撓性を有している。なお、グリップ２６の表面にはガラス粉を含む滑止剤が塗布され、グリップ２６と丸シンブル２２との摩擦抵抗が高められている。
【００１９】
次に、図６および図７を参照しながら上記の網状構造物３が落石を受けたときの作用について説明する。
【００２０】
網４が落石を受けると、衝撃荷重が網４から縦索７および横索６，８のそれぞれに分散して伝わる。衝撃荷重の伝播により縦索７に大きな張力が急激に生じ、これにより緩衝部２０の針金２８が外れて、半拘束支持された弛み部としての縦索端部７ａが非拘束状態になり、縦索端部７ａがグリップ２６と擦れ合いながら引き出される。図６に示すように、縦索７が下方に向かって延び出し、横索６，８の抵抗を受けながら網４が変位するので、落石の衝撃エネルギが大幅に緩和吸収される。縦索端部７ａの弛め部分がグリップ２６の抵抗を受けながら引き出されてしまうと、ストッパ２７の働きにより縦索端部７ａの引出しが停止され、縦索７に張力が掛かった状態で図７に示すように落石の重量と釣り合う。
【００２１】
本実施形態の落石防止用網状構造物によれば、網が瞬時に突破されることなく落石が受け止められ、道路２に落石の被害が及ばない。また、網とともに縦索および横索が変位することにより落石の衝撃エネルギが有効に吸収緩和されるので、支柱およびアンカー等の支持構造部材の倒壊が防止される。
【００２２】
なお、上記実施形態では落石防止用網状構造物として単スパンのカーテンネットの例について説明したが、本発明はこれのみに限定されるものではなく、同様の網状構造物を左右並列に配置してなる多連スパンのカーテンネットにも本発明を適用することができる。
【００２３】
（第２の実施形態）
次に、図８〜図１３を参照しながら本発明の第２の実施形態について説明する。
【００２４】
第２の実施形態の落石防止用網状構造物３０は、図８〜図１０に示すように、道路傍の崖下に設けられた防護柵からなる構造物である。この防護柵タイプの落石防止用網状構造物３０は、ベース鋼板３１と、コンクリート土台３２と、複数の支柱３３，３５と、網３４と、横索３７と、縦索３８と、を備えている。図では１本のみを示すが、主支柱３３は土台３２の両側にそれぞれ設けられている。一方の主支柱３３から他方の主支柱３３までの間に複数本の中間支柱３５が例えば約５ｍ間隔ごとに立設されている。これらの中間支柱３５の下部は土台３２の孔に挿入され、中間支柱３５と土台３２との間隙にはモルタル３６が充填されることにより中間支柱３５は土台３２に固定されている。
【００２５】
支柱３３，３５の相互間には複数本の横索３７が設けられ、この横索３７と縦索３８とに網３４が張り渡されている。網３４は図示しない係止金具により横索３７および縦索３８に取り付けられている。縦索３８は約１ｍ間隔ごとに設けられている。主支柱３３はＨ形鋼杭材からなり、この主支柱３３のウェブに支持金具２１が座金２５を介してナット２４で締結されている。
【００２６】
本実施形態の網状構造物３０において、一方の主支柱３３から他方の主支柱３３までの間隔は約３ｍ、網３４の上端から下端までの長さは約１．５ｍ、土台３２の高さは約２．５ｍである。網３４の目合は５０ｍｍ×５０ｍｍである。
【００２７】
次に、図１１および図１２を参照しながら緩衝部４０について説明する。
【００２８】
図１１に示すように、緩衝部４０は横索の端部３７ａに設けられ、端部３７ａに余裕をもたせて横索３７を主支柱３３に緩く拘束するものである。緩衝部４０は、Ｈ型鋼杭材からなる主支柱３３のウェブに締結されたナット２４付き支持金具２１と、横索端部３７ａの適所に巻き付けられ支持金具に連結されたグリップ２６と、横索端部３７ａに一体鋳造されたストッパ４１と、このストッパ４１を支柱３３のフランジにビス４３で締結する固定金具４２と、を備えている。グリップ２６から固定金具４２に至るまでの横索端部３７ａの長さは０．５〜５ｍとすることが好ましく、１〜３ｍとすることがより好ましい。なお、ストッパ４１は横索端部３７ａの末端部分に亜鉛系合金をプレス金型を用いて加圧鋳造して一体化してなるものである。
【００２９】
次に、図１３を参照しながら上記の網状構造物３０が落石を受けたときの作用について説明する。
【００３０】
網３４が落石を受けると、衝撃荷重が網３４から横索３７、縦索３８、支柱３３，３５のそれぞれに分散して伝わる。衝撃荷重の伝播により横索３７に大きな張力が急激に生じ、これにより緩衝部４０の固定金具４２が外れ、弱拘束支持された横索端部３７ａがグリップ２６と擦れ合いながら引き出される。横索３７がグリップ２６、支柱３３，３５の抵抗を受けながら網３４が変位するので、落石の衝撃エネルギが大幅に緩和吸収される。横索端部３７ａの弛め部分が抵抗を受けながら引き出されてしまうと、ストッパ４１の働きにより横索端部３７ａの引出しが停止され、横索３７に張力が掛かった状態で落石の重量と釣り合う。
【００３１】
本実施形態の落石防止用網状構造物によれば、網が瞬時に突破されることなく落石が受け止められ、道路に落石の被害が及ばなくなる。また、網とともに横索が変位することにより落石の衝撃エネルギが有効に吸収緩和されるので、支柱等の支持構造部材の倒壊が防止される。
【００３２】
なお、上記実施形態では山沿いの道路傍に本発明の構造物を用いる場合について説明したが、本発明はこれのみに限られることなく倉庫等の他の建造物を落石から防護するためにも用いることができる。
【００３３】
【発明の効果】
本発明によれば、網が瞬時に突破されることなく落石が受け止められ、道路に落石の被害が及ばなくなる。
【００３４】
また、網とともに支持索が変位することにより落石の衝撃エネルギが有効に吸収緩和されるので、支柱等の支持構造部材の倒壊が防止される。
【図面の簡単な説明】
【図１】本発明の第１の実施形態に係る落石防止用網状構造物（カーテンネット）を示す正面図。
【図２】本発明の第１の実施形態に係る落石防止用網状構造物を示す側面図。
【図３】本発明の第１の実施形態に係る落石防止用網状構造物の緩衝部を示す要部拡大図。
【図４】第１実施形態の緩衝部を構成する部材を示す分解図。
【図５】第１実施形態の緩衝部を構成する部材を示す分解図。
【図６】落石を受けて変位したときの第１実施形態の網状構造物を示す概略正面図。
【図７】落石を受けて変位したときの緩衝部を示す正面図。
【図８】本発明の第２の実施形態に係る落石防止用網状構造物（落石防護柵）を示す正面図。
【図９】第２実施形態の落石防止用網状構造物を示す側面図。
【図１０】第２実施形態の落石防止用網状構造物を示す斜視図。
【図１１】第２実施形態の緩衝部を示す斜視図。
【図１２】緩衝部のロープ端締結部を示す部分拡大図。
【図１３】落石を受けて変位したときの第２実施形態の落石防止用網状構造物を示す斜視図。
【符号の説明】
３，３０…落石防止用網状構造物、
４，３４…網、
５，３３、３５…支柱、
６…吊り横索、
７…吊り縦索、７ａ…端部（弛み部）、
８…横索、
９…アンカーボルト、
１０…アンカー金物、
１１…ターンバックル、
２０，４０…緩衝部、
２１…支持金具（ロット）、
２２…丸シンブル、
２６…グリップ、
２７，４１…ストッパ、
３１…ベース鋼板、
３２…土台、
３７…横索、３７ａ…端部（弛み部）、
３８…縦索、
４２…固定金具。
【図１】
0003825218.tif 000002
【図２】
0003825218.tif 000003
【図３】
0003825218.tif 000004
【図４】
0003825218.tif 000005
【図５】
0003825218.tif 000006
【図６】
0003825218.tif 000007
【図７】
0003825218.tif 000008
【図８】
0003825218.tif 000009
【図９】
0003825218.tif 000010
【図１０】
0003825218.tif 000011
【図１１】
0003825218.tif 000012
【図１２】
0003825218.tif 000013
【図１３】
0003825218.tif 000014